(57)【要約】【課題】無線通信装置間における同期獲得を確実に行う。【解決手段】第１の無線通信手段による通話中に第２の無線通信手段における同期を予め獲得しておく場合、第１無線通信ハードウェア１０２および第２無線通信ハードウェア１０５ともに第１無線通信システムタイマ１０１からのタイミング制御信号によって制御できる構成により、ＣＰＵ１０７は第１無線通信システムタイマ１０１を制御するだけで第１無線通信ハードウェア１０２の受信動作と第２無線通信ハードウェア１０５の受信動作とを時間的に重複することなく制御できるとともに無線通信システムタイマ間の時刻を変換する必要がない。【選択図】　図１
2004112442.tif 000002
【特許請求の範囲】
【請求項１】
複数の無線通信ハードウェアを備える無線通信装置のタイミング制御装置において、
前記複数の無線通信ハードウェアのそれぞれが受信動作時に使用するタイミング制御信号を生成するシステムタイマと、
前記複数のシステムタイマが生成した複数のタイミング制御信号の一つを選択して前記複数の無線通信ハードウェアの全てに入力する選択器と、
前記選択器の選択動作を制御する制御装置と、
を具備することを特徴とする無線通信装置のタイミング制御装置。
【発明の詳細な説明】
【０００１】
【発明の属する技術分野】
本発明は、デュアルモード或いはマルチモードと呼ばれる少なくとも２系統の無線通信ハードウェアを備える無線通信装置のタイミング制御装置に関する。
【０００２】
【従来の技術】
近年、携帯電話やＰＨＳ等の無線通信装置においては、例えばＵＭＴＳ（Ｕｎｉｖｅｒｓａｌ　Ｍｏｂｉｌ　Ｔｅｌｅｃｏｍｍｕｎｉｃａｔｉｏｎ　Ｓｙｓｔｅｍ）−ＦＤＤ（Ｆｒｅｑｕｅｎｃｙ　Ｄｉｖｉｓｉｏｎ　Ｄｕｐｌｅｘ）とＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）との無線通信装置間のシームレスなハンドオーバが可能なデュアルモード機能が切望されている。
【０００３】
【発明が解決しようとする課題】
しかしながら、無線通信装置間のシームレスなハンドオーバを実現するためには、第１（第２）の無線通信装置に対する通話中に、第２（第１）の無線通信装置に対する同期を予め獲得しておくことが必要である。
【０００４】
本発明は係る点に鑑みてなされたものであり、無線通信装置間における同期獲得を確実に行うことができる無線通信装置のタイミング制御装置を提供することを目的とする。
【０００５】
【課題を解決するための手段】
本発明は、複数の無線通信ハードウェアを備える無線通信装置のタイミング制御装置において、前記複数の無線通信ハードウェアのそれぞれが受信動作時に使用するタイミング制御信号を生成するシステムタイマと、前記複数のシステムタイマが生成した複数のタイミング制御信号の一つを選択して前記複数の無線通信ハードウェアの全てに入力する選択器と、前記選択器の選択動作を制御する制御装置とを具備するものである。
【０００６】
この構成によれば、複数の無線通信ハードウェアのそれぞれに対して一つのタイミング制御信号を供給可能にしたので、全ての無線通信ハードウェアの受信動作を重複せずに制御することができる。
【０００７】
なお、本発明の実施の形態を説明する前に、本発明の出願人が出願した無線通信装置のタイミング制御装置（特開２００２−１５８６００号公報）について説明する。
【０００８】
図３は、その無線通信装置のタイミング制御装置の構成を示すブロック図である。図３に示すタイミング制御装置は、第１の無線通信ハードウェア３０２に対して設けられる第１の無線通信システムタイマ３０１と、第２の無線通信ハードウェア３０４に対して設けられる第２の無線通信システムタイマ３０３と、中央制御装置（以下、ＣＰＵと呼ぶ）３０５とを有する。
【０００９】
第１の無線通信ハードウェア３０２は、第１の無線通信システムタイマ３０１によってタイミング制御され、第２の無線通信ハードウェア３０４は第２の無線通信システムタイマ３０３によってタイミング制御される。また、第１の無線通信システムタイマ３０１は、第１の無線通信システムタイマ３０１におけるタイマカウンタ（以下、第１タイマカウンタと呼ぶ、以下同様）３１０と、第１比較器３１１と、第１トリガ発生値レジスタ３１２と、第１タイマカウンタ値レジスタ３１３を有して構成されている。同様に第２の無線通信システムタイマ３０３は、第２タイマカウンタ３２０と、第２比較器３２１と、第２トリガ発生値レジスタ３２２と、第２タイマカウンタ値レジスタ３２３とを有する。
【００１０】
第１タイマカウンタ３１０の出力と、第１トリガ発生値レジスタ３１２に記憶されている値とを第１比較器３１１によって比較した結果、一致した場合にトリガパルス（第１ラッチトリガ）を出力する構成となっている。第１ラッチトリガは第２タイマカウンタ値レジスタ３２３に入力される。第１ラッチトリガが入力されると、第２タイマカウンタ３２０の出力が第２タイマカウンタ値レジスタ３２３にラッチされる。第１トリガ発生値レジスタ３１２はＣＰＵ３０５にて書込み可能であり、第２タイマカウンタ値レジスタ３２３はＣＰＵ３０５にて読込み可能である。
【００１１】
以上の構成により、ＣＰＵ３０５は、第１の無線通信システムタイマ３０１の既知時刻における第２の無線通信システムタイマ３０３の時刻を知ることができるので、両システムタイマ間同期を獲得することができる。
以上は第１の無線通信システムタイマ３０１を基準としているが、第２の無線通信システムタイマ３０３を基準とする方法も同様である。
以上のように、両システムタイマ間同期を獲得した後、第１の無線通信手段における受信動作と、第２の無線通信手段における受信動作とが重複しないように、ＣＰＵ３０５によって制御される。
【００１２】
ところで、上記タイミング制御装置においては、両システムタイマ間同期を獲得した後、第１の無線通信手段における受信動作と、第２の無線通信手段における受信動作とが重複しないように、ＣＰＵ３０５が第１の無線通信システムタイマ３０１におけるタイミング上の時刻を第２の無線通信システムタイマ３０３におけるタイミング上の時刻に変換する、または第２の無線通信システムタイマ３０３におけるタイミング上の時刻を第１の無線通信システムタイマ３０１におけるタイミング上の時刻に変換する必要がある。本発明は無線通信装置間における同期獲得において、特に上記時刻変換を不要にするものである。
【００１３】
【発明の実施の形態】
以下、本発明の実施の形態について、図面を参照して説明する。
（実施の形態１）
図１は、本発明の実施の形態１に係る無線通信装置のタイミング制御装置の構成を示すブロック図である。図１に示すタイミング制御装置は、２系統の無線通信手段を有するデュアルモード無線通信装置のタイミングを制御するものであり、第１無線通信ハードウェア１０２に対して設けられる第１無線通信システムタイマ１０１と、第１の無線通信ハードウェア１０２へのタイミング制御信号の選択を行う第１選択器１０３と、第２無線通信ハードウェア１０５に対して設けられる第２無線通信システムタイマ１０４と、第２の無線通信ハードウェア１０５へのタイミング制御信号の選択を行う第２選択器１０６と、装置各部を制御する中央制御装置（以下、ＣＰＵと呼ぶ）１０７とを有する。
【００１４】
この構成により、第１の無線通信手段にて通信している最中（即ち第１の無線通信手段を使用した通話中）に、第２の無線通信手段に対する同期を予め獲得しておく場合、ＣＰＵ１０７は、第１無線通信システムタイマ１１１からのタイミング制御信号を選択するため、第１選択器１０３及び第２選択器１０６へ無線通信システム選択信号Ｓａを供給する。
【００１５】
すなわち、第１無線通信ハードウェア１０２と第２無線通信ハードウェア１０５が共に第１無線通信システムタイマ１０１からのタイミング制御信号によって制御されるように、第１選択器１０３及び第２選択器１０６に無線通信システム選択信号Ｓａを供給する。
【００１６】
これにより、ＣＰＵ１０７は第１無線通信システムタイマ１０１のみ制御するだけで、第１無線通信ハードウェア１０２の受信動作と第２無線通信ハードウェア１０５の受信動作とを時間的に重複することなく制御することができ、かつ第１無線通信システムタイマ１０１と第２無線通信システムタイマ１０４との間の時刻を変換する必要がない。
【００１７】
以上は第１無線通信システムタイマ１０１を基準とした場合であるが、次のように第２無線通信システムタイマ１０４を基準とする方法も考えられる。すなわち、第２の無線通信手段を使用した通話中に、第１の無線通信手段に対する同期を予め獲得しておく場合、ＣＰＵ１０７は、第２無線通信システムタイマ１０４からのタイミング制御信号を選択するため、第１選択器１０３及び第２選択器１０６へ無線通信システム選択信号Ｓａを供給する。
【００１８】
すなわち、第１無線通信ハードウェア１０２と第２無線通信ハードウェア１０５が共に第２無線通信システムタイマ１０４からのタイミング制御信号によって制御されるように、第１選択器１０３及び第２選択器１０６に無線通信システム選択信号Ｓａを供給する。
【００１９】
これにより、ＣＰＵ１０７は第２無線通信システムタイマ１０４のみ制御するだけで、第２無線通信ハードウェア１０５の受信動作と第１無線通信ハードウェア１０２の受信動作とを時間的に重複することなく制御することができる。また、第２無線通信システムタイマ１０４と第１無線通信システムタイマ１０１との間の時刻を変換する必要がない。
【００２０】
以上のように本実施の形態１の無線通信装置のタイミング制御装置によれば、第１選択器１０３によって第１無線通信システムタイマ１０１からのタイミング制御信号を第１無線通信ハードウェア１０２および第２無線通信ハードウェア１０５に同時に入力できるようにするとともに、第２選択器１０６によって第２無線通信システムタイマ１０４からのタイミング制御信号を第２無線通信ハードウェア１０５および第１無線通信ハードウェア１０２に同時に入力できるようにし、さらにＣＰＵ１０７にて第１選択器１０３と第２選択器１０６のいずれか一方を選択できるようにしたので、第１の無線通信手段における受信動作と第２の無線通信手段における受信動作とが重複しないよう制御することが可能となる。
【００２１】
（実施の形態２）
図２は本発明の実施の形態２に係る無線通信装置のタイミング制御装置の構成を示すブロック図である。本実施の形態のタイミング制御装置は、無線通信手段をｎ（ｎ≧３）系統有するマルチモード無線通信装置のタイミングを制御するものである。図２に示すタイミング制御装置は、第１から第ｎの無線通信手段の無線通信ハードウェア２０２−１〜２０２−ｎに対して設けられる第１から第ｎの無線通信手段のシステムタイマ２０１−１〜２０１−ｎと、第１から第ｎの無線通信ハードウェア２０２−１〜２０２−ｎのタイミング制御信号選択器（以下、第１〜第ｎ選択器と呼ぶ）２０３−１〜２０３−ｎと、装置各部を制御する中央制御装置（以下、ＣＰＵと呼ぶ）２０４とを有する。
【００２２】
この構成において、第１の無線通信手段を使用した通話中に、第２から第ｎの無線通信手段に対する同期を予め獲得しておく場合、ＣＰＵ２０４は、第１無線通信システムタイマ２０１−１からのタイミング制御信号を選択するため、第２〜第ｎ選択器２０２−２〜２０２−ｎそれぞれに無線通信システム選択信号Ｓａを供給する。
【００２３】
すなわち、第２〜第ｎ無線通信ハードウェア２０２−２〜２０２−ｎの全てが第１無線通信システムタイマ２０１−１からのタイミング制御信号によって制御されるように、第２〜第ｎ選択器２０３−２〜２０３ｎに無線通信システム選択信号Ｓａを供給する。これにより、ＣＰＵ２０４は、第１無線通信システムタイマ２０１−１を制御するだけで、第１無線通信ハードウェア２０２−１の受信動作から第ｎ無線通信ハードウェア２０２−ｎの受信動作までを時間的に重複することなく制御することができる。また、第１〜第ｎ無線通信システムタイマ２０１−１〜２０１−ｎ間の時刻を変換する必要がない。
【００２４】
以上は第１無線通信システムタイマ２０１−１を基準とした場合であるが、第２無線通信システムタイマ２０１−２から第ｎ無線通信システムタイマ２０１−ｎのそれぞれを基準とする方法も同様である。
【００２５】
以上のように本実施の形態２のタイミング制御装置によれば、第１〜第ｎ選択器２０３−１〜２０３−ｎによって、第１〜第ｎ無線通信システムタイマ２０１−１〜２０１−ｎそれぞれからのタイミング制御信号を第１〜第ｎ無線通信ハードウェア２０２−１〜２０２−ｎに同時に入力できるようにし、さらにＣＰＵ１０７にて第１〜第ｎ選択器２０３−１〜２０３−ｎのいずれか一方を選択できるようにしたので、第１の無線通信手段から第ｎの無線通信手段における受信動作が重複しないよう制御することができる。
【００２６】
【発明の効果】
以上説明したように本発明によれば、複数の無線通信ハードウェアのそれぞれに対して一つのタイミング制御信号を供給可能にしたので、全ての無線通信ハードウェアの受信動作を重複せず制御することができ、これにより無線通信装置間における同期獲得を確実に行うができる。
【図面の簡単な説明】
【図１】本発明の実施の形態１に係る無線通信装置のタイミング制御装置の構成を示すブロック図である。
【図２】本発明の実施の形態２に係る無線通信装置のタイミング制御装置の構成を示すブロック図である。
【図３】本発明が解決する課題を説明するための無線通信装置のタイミング制御装置の構成を示すブロック図である。
【符号の説明】
１０１、２０１−１　第１無線通信システムタイマ
１０２、２０２−１　第１無線通信ハードウェア
１０３　第１選択器
１０４、２０１−２　第２無線通信システムタイマ
１０５、２０２−２　第２無線通信ハードウェア
１０６　第２選択器
１０７、２０４　中央制御装置
２０２−ｎ　第ｎ無線通信ハードウェア
２０３−１、２０３−２、…、２０３−ｎ　選択器
【図１】
2004112442.tif 000003
【図２】
2004112442.tif 000004
【図３】
2004112442.tif 000005